(57)【要約】【課題】選択的な色域調整処理を可能にする技術を提供する。【解決手段】表示ドライバが、異なる色域に対応する複数のパラメータセットと対象画素の位置とに基づいて使用パラメータセットを出力し、前記対象画素の入力画素データに対して、前記使用パラメータセットに応じて色域調整処理を行って出力画素データを生成するように構成された色域調整回路部と、前記出力画素データに応じて表示パネルを駆動する駆動回路部とを備えている。【選択図】図１
2020095187.tif 000002
【特許請求の範囲】
【請求項１】
異なる色域に対応する複数のパラメータセットと対象画素の位置とに基づいて使用パラメータセットを出力し、前記対象画素の入力画素データに対して、前記使用パラメータセットに応じて色域調整処理を行って出力画素データを生成するように構成された色域調整回路部と、
前記出力画素データに応じて表示パネルを駆動する駆動回路部
とを備える
表示ドライバ。
【請求項２】
前記色域調整回路部が、前記複数のパラメータセットのうちから複数の選択パラメータセットを選択し、前記複数の選択パラメータセットと前記対象画素の位置とに基づいて前記使用パラメータセットを決定するように構成された
請求項１に記載の表示ドライバ。
【請求項３】
前記色域調整回路部が、前記複数の選択パラメータセットのそれぞれに対してディミング処理を行って複数のディミング後パラメータセットを生成し、前記複数のディミング後パラメータセットと、前記対象画素の位置とに応じて前記使用パラメータセットを出力するように構成された
請求項２に記載の表示ドライバ。
【請求項４】
前記色域調整回路部が、前記使用パラメータセットを、前記対象画素の位置に応じて前記複数のディミング後パラメータセットのうちから選択するように構成された
請求項３に記載の表示ドライバ。
【請求項５】
前記色域調整回路部が、前記表示パネルに表示される画像に領域を規定し、かつ、前記領域の色域を指定する色域設定データと前記対象画素の位置とに応じて、前記使用パラメータセットを前記複数のディミング後パラメータセットのうちから選択するように構成された
請求項３に記載の表示ドライバ。
【請求項６】
前記色域設定データが、前記入力画素データに対応する画像データを供給するホストから供給される
請求項５に記載の表示ドライバ。
【請求項７】
前記色域調整回路部が、前記対象画素の位置に応じて前記複数のディミング後パラメータセットに対して補間処理を行うことにより前記使用パラメータセットを生成するように構成された
請求項３に記載の表示ドライバ。
【請求項８】
前記色域調整回路部が、前記対象画素の位置に応じて前記複数の選択パラメータセットに対して補間処理を行うことにより前記使用パラメータセットを生成するように構成された
請求項２に記載の表示ドライバ。
【請求項９】
前記色域調整回路部が、前記表示パネルに表示される画像に領域を規定し、かつ、前記領域の色域を指定する色域設定データと前記対象画素の位置とに応じて、前記複数の選択パラメータセットに対して補間処理を行うことにより前記使用パラメータセットを生成するように構成された
請求項８に記載の表示ドライバ。
【請求項１０】
前記複数の選択パラメータセットが、第１選択パラメータセットと第２選択パラメータセットとを含み、
前記対象画素が前記表示パネルの第１領域にあるとき、前記色域調整回路部が、前記第１選択パラメータセットを前記使用パラメータセットとして出力し、
前記対象画素が前記表示パネルの第２領域にあるとき、前記色域調整回路部が、前記第２選択パラメータセットを前記使用パラメータセットとして出力し、
前記対象画素が前記表示パネルの前記第１領域と前記第２領域の間の第３領域にあるとき、前記色域調整回路部が、前記第１選択パラメータセット及び前記第２選択パラメータセットに対して補間処理を行うことにより前記使用パラメータセットを生成する
請求項９に記載の表示ドライバ。
【請求項１１】
前記第１領域が、前記表示パネルが折り曲げられる折り曲げ領域を備えている
請求項１０に記載の表示ドライバ。
【請求項１２】
表示パネルに表示される画像を表す画像データと、前記画像に領域を規定し、かつ、前記領域の色域を指定する色域設定データとを生成するプロセッサと、
前記画像データと前記色域設定データとを前記表示パネルを駆動する表示ドライバに送信するインターフェースとを備える
ホスト。
【請求項１３】
前記プロセッサが、前記領域に表示するコンテンツに応じて前記領域の色域を指定するように前記色域設定データを生成する
請求項１２に記載のホスト。
【請求項１４】
前記プロセッサが、前記色域設定データが更に背景領域の色域を指定するように前記色域設定データを生成する
請求項１３に記載のホスト。
【請求項１５】
異なる色域に対応する複数のパラメータセットと対象画素の位置とに基づいて使用パラメータセットを出力することと、
前記対象画素の入力画素データに対して、前記使用パラメータセットに応じて色域調整処理を行って出力画素データを生成することと、
前記出力画素データに応じて表示パネルを駆動すること
とを備える
表示パネル駆動方法。
【請求項１６】
前記使用パラメータセットを出力することが、
前記複数のパラメータセットのうちから複数の選択パラメータセットを選択することと、
前記複数の選択パラメータセットと前記対象画素の位置とに基づいて前記使用パラメータセットを決定すること
とを備える
請求項１５に記載の表示パネル駆動方法。
【請求項１７】
前記複数の選択パラメータセットと前記対象画素の位置とに基づいて前記使用パラメータセットを決定することが、
前記複数の選択パラメータセットのそれぞれに対してディミング処理を行って複数のディミング後パラメータセットを生成することと、
前記複数のディミング後パラメータセットと前記対象画素の位置とに応じて前記使用パラメータセットを出力すること
とを備える
請求項１６に記載の表示パネル駆動方法。
【請求項１８】
前記複数のディミング後パラメータセットと前記対象画素の位置とに応じて前記使用パラメータセットを出力することが、
前記使用パラメータセットを、前記対象画素の位置に応じて前記複数のディミング後パラメータセットのうちから選択することを備える
請求項１７に記載の表示パネル駆動方法。
【請求項１９】
前記複数のディミング後パラメータセットと前記対象画素の位置とに応じて前記使用パラメータセットを出力することが、
前記表示パネルに表示される画像に領域を規定し、かつ、前記領域の色域を指定する色域設定データと前記対象画素の位置とに応じて、前記使用パラメータセットを前記複数のディミング後パラメータセットのうちから選択することを備える
請求項１７に記載の表示パネル駆動方法。
【請求項２０】
前記使用パラメータセットを出力することが、前記対象画素の位置に応じて前記複数の選択パラメータセットに対して補間処理を行うことにより前記使用パラメータセットを生成することを備える
請求項１６に記載の表示パネル駆動方法。
【発明の詳細な説明】
【技術分野】
【０００１】
本開示は、表示パネルに表示される画像の色域調整に関する。
【背景技術】
【０００２】
画像データの生成において想定されている色域は、液晶表示パネルやＯＬＥＤ（organic light emitting diode）表示パネルのような表示パネルが表示可能な色域と相違することがある。このような場合、画像データに対して色域調整処理が行われることがある。色域調整処理は、所望の色域で表示パネルに画像を表示することを可能にする。
【発明の概要】
【０００３】
一実施形態では、表示ドライバが、異なる色域に対応する複数のパラメータセットと対象画素の位置とに基づいて使用パラメータセットを出力し、前記対象画素の入力画素データに対して、前記使用パラメータセットに応じて色域調整処理を行って出力画素データを生成するように構成された色域調整回路部と、前記出力画素データに応じて表示パネルを駆動する駆動回路部とを備えている。
【０００４】
一実施形態では、ホストが、表示パネルに表示される画像を表す画像データと、前記画像に領域を規定し、かつ、前記領域の色域を指定する色域設定データとを生成するプロセッサと、前記画像データと前記色域設定データとを前記表示パネルを駆動する表示ドライバに送信するインターフェースとを備えている。
【０００５】
一実施形態では、表示パネル駆動方法が、異なる色域に対応する複数のパラメータセットと対象画素の位置とに基づいて使用パラメータセットを出力することと、前記対象画素の入力画素データに対して、前記使用パラメータセットに応じて色域調整処理を行って出力画素データを生成することと、前記出力画素データに応じて表示パネルを駆動すること
とを備えている。
【図面の簡単な説明】
【０００６】
【図１】一実施形態における表示装置の構成を示している。
【図２】表示パネルに表示される画像の例を示している。
【図３】一実施形態における色域調整回路部の構成を示している。
【図４】一実施形態における色域調整回路部の構成を示している。
【図５】一実施形態における色域調整回路部の構成を示している。
【図６】一実施形態における色域調整回路部の構成を示している。
【図７】一実施形態における表示パネルを示している。
【発明を実施するための形態】
【０００７】
以下、添付図面を参照しながら、本開示の実施形態を説明する。以下において、同一又は対応する構成要素は、同一又は対応する参照符号で参照することがある。また、同一の構成要素を互いに区別する場合、添字を付すことがある。
【０００８】
一実施形態では、図１に示すように、表示装置１００が、表示パネル１と表示ドライバ２とを備えている。なお、本明細書でいう「一実施形態」とは、１つ以上の実施形態を意味しており、実施形態が１つに限定されることを意味していない。
【０００９】
一実施形態では、表示ドライバ２は、ホスト２００から受け取った画像データ３に応じて表示パネル１を駆動し、画像データ３が表す画像を表示パネル１に表示するように構成される。画像データ３は、表示パネル１の各画素の各色の階調値を記述する画素データを含んでいてもよい。その代わりに、画像データ３が、表示パネル１の各画素の各色の階調値を記述する画素データを表示ドライバ２において生成するために用いられるデータを含んでいてもよい。
【００１０】
一実施形態では、表示ドライバ２は、ホスト２００から色域設定データ４を更に受け取る。一実施形態では、色域設定データ４は、表示パネル１に表示される画像について少なくとも１つの色域を指定するデータである。
【００１１】
図２を参照して、一実施形態では、色域設定データ４は、表示パネル１に表示される画像に一又は複数の領域６を規定し、更に、当該領域６の色域を指定する。図２には、１つの領域６が規定される例が図示されている。一実施形態では、領域６は矩形であり、色域設定データ４は、領域６の頂点の位置及び寸法を指定する。一実施形態では、色域設定データ４が、更に、領域６以外の領域、即ち、背景領域７の色域を指定してもよい。図２において、符号６ａは、領域６と背景領域７との境界を示している。
【００１２】
図１に戻り、一実施形態では、表示ドライバ２が、インターフェース１１と、画像処理回路部１２と、ソース線駆動回路部１３と、レジスタ１４とを備えている。一実施形態では、インターフェース１１は、ホスト２００から画像データ３を受け取り、受け取った画像データ３を画像処理回路部１２に転送する。一実施形態では、画像処理回路部１２は、画像データ３に対して所望の画像処理を行って処理後画像データ５を生成する。一実施形態では、ソース線駆動回路部１３は、処理後画像データ５に基づいて、表示パネル１の図示しないソース線を駆動する。一実施形態では、レジスタ１４は、表示ドライバ２の制御に用いられる様々な制御パラメータを保持する。一実施形態では、レジスタ１４に保持される制御パラメータが、画像処理回路部１２における画像処理で用いられるパラメータを含んでいる。一実施形態では、レジスタ１４に保持すべき制御パラメータが図示しない不揮発性メモリに格納され、該制御パラメータが、表示装置１００の起動時に該不揮発性メモリからレジスタ１４に転送されてもよい。
【００１３】
一実施形態では、ホスト２００は、記憶装置２１と、プロセッサ２２と、インターフェース２３とを備えている。一実施形態では、記憶装置２１は、画像処理ソフトウェア２１ａを記憶する非一時的記憶媒体（non-transitory tangible storage medium）として用いられ、画像処理ソフトウェア２１ａがインストールされている。画像処理ソフトウェア２１ａは、コンピュータ読み取り可能な記録媒体に記録されたコンピュータプログラム製品(computer program product)として提供されてもよく、又は、サーバからダウンロード可能なコンピュータプログラム製品として提供されてもよい。記憶装置２１は、プロセッサ２２のワークエリアとして用いられてもよい。一実施形態では、プロセッサ２２は、画像処理ソフトウェア２１ａを実行して表示ドライバ２に供給すべき画像データ３と色域設定データ４とを生成する。インターフェース２３は、生成された画像データ３と色域設定データ４とを表示ドライバ２に送信する。一実施形態では、プロセッサ２２は、各フレーム期間に表示される画像について色域設定データ４を生成してもよい。この場合、インターフェース２３は、色域設定データ４を各フレーム期間の先頭に設けられるブランキング期間に表示ドライバ２に送信し、画像データ３を、該ブランキング期間及びブランキング期間に続く表示期間に送信してもよい。
【００１４】
図２に示す画像の例では、プロセッサ２２は、領域６を規定し、更に、領域６に指定される色域を指定する色域設定データ４を生成する。プロセッサ２２は、領域６に指定される色域を、領域６に表示するコンテンツに応じて決定してもよい。例えば、領域６に動画を表示する場合、プロセッサ２２は、ＡｄｏｂｅＲＧＢで規定される色域を当該領域６に指定してもよい。一実施形態では、プロセッサ２２は、領域６以外の背景領域７の色域を指定する色域設定データ４を生成してもよい。例えば、図２の例については、プロセッサ２２は、背景領域７の色域をｓＲＧＢで規定される色域に指定する色域設定データ４を生成してもよい。なお、画像に規定される領域と色域との対応付け又は組合せは様々に可能である。
【００１５】
図１を再び参照して、一実施形態では、画像処理回路部１２は、色域調整回路部１５を備えている。一実施形態では、図３に示すように、色域調整回路部１５は、入力画素データＩｎ＿ｐｉｘｅｌに対して色域調整処理を行って出力画素データＯｕｔ＿ｐｉｘｅｌを生成するように構成されている。入力画素データＩｎ＿ｐｉｘｅｌは、画像処理回路部１２に供給される画像データ３に対応している。画像データ３に含まれる画素データが、そのまま入力画素データＩｎ＿ｐｉｘｅｌとして用いられてもよく、また、入力画素データＩｎ＿ｐｉｘｅｌが、画像処理回路部１２において画像データ３に基づいて生成されてもよい。一方、出力画素データＯｕｔ＿ｐｉｘｅｌは、画像処理回路部１２から出力される処理後画像データ５に対応している。出力画素データＯｕｔ＿ｐｉｘｅｌが、そのまま、処理後画像データ５として用いられてもよく、出力画素データＯｕｔ＿ｐｉｘｅｌに対して所望の処理が行われて処理後画像データ５が生成されてもよい。
【００１６】
一実施形態では、色域調整回路部１５は、ある対象画素の入力画素データＩｎ＿ｐｉｘｅｌに対して色域調整処理を行う場合、当該対象画素の表示パネル１における位置に基づいて該色域調整処理を行う。このような処理は、表示パネル１に表示される画像に、色域が異なる領域を設定することを可能にする。例えば、図２に示す画像を表示するとき、対象画素が領域６にある場合にはＡｄｏｂｅＲＧＢに規定された色域に合わせて当該対象画素の入力画素データＩｎ＿ｐｉｘｅｌに対して色域調整処理を行い、対象画素が背景領域７にある場合にはｓＲＧＢに規定された色域に合わせて色域調整処理を行ってもよい。
【００１７】
図３に示すように、一実施形態では、異なる色域に対応する複数のパラメータセットが色域調整回路部１５に供給される。一実施形態では、各パラメータセットは、色域調整処理において使用されるパラメータを含んでおり、各パラメータセットのパラメータは、各パラメータセットが対応する色域を実現するように決定されている。図３の例では、パラメータセットＡ、Ｂ、Ｃは、色域調整処理により、それぞれ、色域“Ａ”、“Ｂ”、“Ｃ”を実現するように決定されたパラメータを備えている。一実施形態では、色域“Ａ”、“Ｂ”、“Ｃ”が、ｓＲＧＢに規定される色域、ＡｄｏｂｅＲＧＢに規定される色域、ＤＣＩ−Ｐ３（Digital Cinema Initiatives-P3）に規定されている色域のうちの少なくとも２つを備えている。このような実施形態では、パラメータセットＡ、Ｂ、Ｃは、ｓＲＧＢに規定される色域に対応するｓＲＧＢパラメータセット、ＡｄｏｂｅＲＧＢに規定される色域に対応するＡｄｏｂｅＲＧＢパラメータセット、ＤＣＩ−Ｐ３に規定されている色域に対応するＤＣＩ−Ｐ３パラメータセットのうちの少なくとも２つを備えている。一実施形態では、パラメータセットＤＥＦは、デフォルトの色域、即ち、表示パネル１固有の色域を実現するように決定されたパラメータを備えている。一実施形態では、パラメータセットＤＥＦは、入力画素データＩｎ＿ｐｉｘｅｌが、そのまま出力画素データＯｕｔ＿ｐｉｘｅｌとして出力されるように作成されている。
【００１８】
一実施形態では、パラメータセットＡ、Ｂ、Ｃ及びＤＥＦは、制御パラメータの一部としてレジスタ１４に保持され、レジスタ１４から色域調整回路部１５に供給される。一実施形態では、色域調整回路部１５は、供給された該複数のパラメータセットと対象画素の位置とに基づいて使用パラメータセット４０を決定し、この使用パラメータセット４０に応じて対象画素の入力画素データＩｎ＿ｐｉｘｅｌに対して色域調整処理を行うように構成される。
【００１９】
一実施形態では、色域調整回路部１５がセレクタ回路部３１と、パラメータセット出力回路部３２と、演算回路部３３、制御回路部３４とを備えている。
【００２０】
一実施形態では、セレクタ回路部３１は、色域調整回路部１５に供給されるパラメータセットＡ、Ｂ、Ｃ及びＤＥＦのうちから複数の選択パラメータセット４１を選択するように構成されている。図３に示す実施形態では、セレクタ回路部３１が、２つのセレクタ３５１、３５２を備えている。一実施形態では、セレクタ３５１は、制御回路部３４から受け取った選択信号ＣＥ＿ＳＥＬ１に応じてパラメータセットＡ、Ｂ、Ｃ及びＤＥＦのうちから選択パラメータセット４１１を選択し、セレクタ３５２は、制御回路部３４から受け取った選択信号ＣＥ＿ＳＥＬ２に応じてパラメータセットＡ、Ｂ、Ｃ及びＤＥＦのうちから選択パラメータセット４１２を選択する。
【００２１】
一実施形態では、パラメータセット出力回路部３２は、セレクタ回路部３１から受け取った複数の選択パラメータセット４１１、４１２と、対象画素の位置を示す座標Ｘ、Ｙとに応じて使用パラメータセット４０を出力するように構成されている。一実施形態では、パラメータセット出力回路部３２が、ディミング回路部３６１、３６２とセレクタ３７とを備えている。
【００２２】
一実施形態では、ディミング回路部３６１、３６２は、それぞれ、選択パラメータセット４１１、４１２に対してディミング処理を行ってディミング処理後パラメータセット４２１、４２２を生成する。一実施形態では、ディミング処理は、出力が入力と相違する場合に、出力を徐々に変化させながら入力に一致させるように出力を生成する処理である。選択パラメータセット４１１が変化し、このためにディミング処理後パラメータセット４２１が選択パラメータセット４１１と相違するようになった場合、一実施形態では、ディミング回路部３６１は、ディミング処理後パラメータセット４２１を徐々に変化させながら選択パラメータセット４１１に一致させるようにディミング処理後パラメータセット４２１を出力する。ディミング処理によってディミング処理後パラメータセット４２１と選択パラメータセット４１１とが一致するようになり、その後、選択パラメータセット４１１に変化がない場合、一実施形態では、ディミング回路部３６１は、選択パラメータセット４１１を、そのままディミング処理後パラメータセット４２１として出力する。一実施形態では、ディミング回路部３６２は、ディミング回路部３６１と同様のディミング処理を選択パラメータセット４１２に対して行ってディミング処理後パラメータセット４２２を生成する。
【００２３】
一実施形態では、セレクタ３７は、対象画素の位置を表す座標（Ｘ，Ｙ）を制御回路部３４から受け取り、使用パラメータセット４０を、座標（Ｘ，Ｙ）に応じてディミング処理後パラメータセット４２１、４２２から選択する。一実施形態では、セレクタ３７は、ホスト２００から供給される色域設定データ４を受け取り、対象画素の座標（Ｘ，Ｙ）と色域設定データ４に応じて、使用パラメータセット４０を、ディミング処理後パラメータセット４２１、４２２から選択する。
【００２４】
一実施形態では、セレクタ回路部３１は、Ｎ個の選択パラメータセット４１（Ｎは、３以上の整数）をパラメータセット出力回路部３２に供給する。このような実施形態では、パラメータセット出力回路部３２は、Ｎ個のディミング回路部３６を備えていてもよい。一実施形態では、Ｎ個のディミング回路部３６が、選択パラメータセット４１のそれぞれに対してディミング処理を行ってＮ個のディミング処理後パラメータセット４２を生成する。一実施形態では、セレクタ３７が、対象画素の座標（Ｘ，Ｙ）及び色域設定データ４に応じて、生成されたディミング処理後パラメータセット４２のうちから使用パラメータセット４０を選択する。
【００２５】
一実施形態では、演算回路部３３は、パラメータセット出力回路部３２から受け取った使用パラメータセット４０に応じて入力画素データＩｎ＿ｐｉｘｅｌに対して色域調整処理を行って出力画素データＯｕｔ＿ｐｉｘｅｌを生成する。演算回路部３３が行う色域調整処理は、色強調（color enhancement）を含んでいてもよい。
【００２６】
一実施形態では、制御回路部３４は、色域調整回路部１５の動作を制御する。一実施形態では、制御回路部３４が、色域設定データ４に応じて選択信号ＣＥ＿ＳＥＬ１、ＣＥ＿ＳＥＬ２を生成する。例えば、色域設定データ４が、表示パネル１の特定の領域６の色域が色域“Ａ”であり、背景領域７の色域が色域“Ｂ”であることを指定している場合、制御回路部３４は、選択信号ＣＥ＿ＳＥＬ１によってパラメータセットＡを選択し、選択信号ＣＥ＿ＳＥＬ２によってパラメータセットＢを選択するように選択信号ＣＥ＿ＳＥＬ１、ＣＥ＿ＳＥＬ２を生成する。一実施形態では、制御回路部３４が、更に、垂直同期信号ＶＳＹＮＣ、水平同期信号ＨＳＹＮＣ、及び、ドットクロックＤＣＬＫに応じて対象画素の位置を示す座標（Ｘ，Ｙ）を生成し、座標（Ｘ，Ｙ）をセレクタ３７に供給する。
【００２７】
例えば、図２に示す画像を表示する場合、一実施形態では、色域調整回路部１５は、下記のような動作を行う。一実施形態では、ＡｄｏｂｅＲＧＢに規定された色域を実現するパラメータセットがパラメータセットＡとして色域調整回路部１５に供給され、ｓＲＧＢに規定された色域を実現するパラメータセットが、パラメータセットＢとして色域調整回路部１５に供給される。一実施形態では、更に、色域設定データ４がホスト２００から色域調整回路部１５に供給される。この色域設定データ４は、一実施形態では、領域６の色域がＡｄｏｂｅＲＧＢに規定された色域であり、背景領域７の色域がｓＲＧＢに規定された色域であることを示している。
【００２８】
一実施形態では、制御回路部３４は、色域設定データ４に応じて、ＡｄｏｂｅＲＧＢに規定された色域に対応するパラメータセットＡを選択するように選択信号ＣＥ＿ＳＥＬ１を生成し、ｓＲＧＢに規定された色域に対応するパラメータセットＢを選択するように選択信号ＣＥ＿ＳＥＬ２を生成する。一実施形態では、セレクタ回路部３１は、選択信号ＣＥ＿ＳＥＬ１、ＣＥ＿ＳＥＬ２に応じて、パラメータセットＡを選択パラメータセット４１１としてパラメータセット出力回路部３２に供給し、パラメータセットＢを選択パラメータセット４１２としてパラメータセット出力回路部３２に供給する。
【００２９】
一実施形態では、パラメータセット出力回路部３２のディミング回路部３６１、３６２は、それぞれ、選択パラメータセット４１１、４１２に対してディミング処理を行ってディミング処理後パラメータセット４２１、４２２を生成する。
【００３０】
一実施形態では、セレクタ３７は、対象画素の座標（Ｘ，Ｙ）と色域設定データ４とに応じて、使用パラメータセット４０をディミング処理後パラメータセット４２１、４２２から選択する。一実施形態では、対象画素が領域６に位置する場合、セレクタ３７は、ＡｄｏｂｅＲＧＢに規定された色域に対応するディミング処理後パラメータセット４２１を使用パラメータセット４０に選択する。対象画素が背景領域７に位置する場合、セレクタ３７は、ｓＲＧＢに規定された色域に対応するディミング処理後パラメータセット４２２を使用パラメータセット４０に選択する。選択された使用パラメータセット４０は、演算回路部３３に供給される。
【００３１】
演算回路部３３は、使用パラメータセット４０に応じて、対象画素の入力画素データＩｎ＿ｐｉｘｅｌに対して色域調整処理を行って出力画素データＯｕｔ＿ｐｉｘｅｌを生成する。
【００３２】
このような動作では、表示パネル１に規定された複数の領域について選択的な色域の調整が可能である。また、ディミング処理を行うことにより、スムーズな色域の切り替わりを実現可能である。
【００３３】
図４に示す実施形態では、パラメータセット出力回路部３２が、セレクタ３７の代わりに、補間回路３８を備えている。一実施形態では、補間回路３８が、ディミング処理後パラメータセット４２１、４２２に対して対象画素の座標（Ｘ，Ｙ）と色域設定データ４とに応じて、補間処理を行うことにより、使用パラメータセット４０を生成する。一実施形態では、対象画素が第１位置にあるとき、補間回路３８は、ディミング処理後パラメータセット４２１を、そのまま使用パラメータセット４０として出力し、対象画素が第２位置にあるとき、補間回路３８は、ディミング処理後パラメータセット４２２を、そのまま使用パラメータセット４０として出力する。このような実施形態では、対象画素が第１位置と第２位置の間の位置にあるとき、補間回路３８は、ディミング処理後パラメータセット４２１、４２２に対して前記対象画素の位置に応じた補間処理を行うことにより使用パラメータセット４０を生成する。
【００３４】
例えば、図２に示す画像については、一実施形態では、選択信号ＣＥ＿ＣＥＬ１は、領域６に設定される色域に応じて設定され、選択信号ＣＥ＿ＣＥＬ２は、背景領域７に設定される色域に応じて設定される。一実施形態では、対象画素が領域６にあり、かつ、領域６と背景領域７との境界６ａから離れた第１位置にあるとき、補間回路３８は、ディミング処理後パラメータセット４２１を、そのまま使用パラメータセット４０として出力する。また、背景領域７にあり、かつ、境界６ａから離れた位置にあるとき、補間回路３８は、ディミング処理後パラメータセット４２２を、そのまま使用パラメータセット４０として出力する。このような実施形態では、対象画素が領域６と背景領域７の境界６ａの近傍にあるとき、補間回路３８は、ディミング処理後パラメータセット４２１、４２２に対して対象画素の位置に応じた補間処理を行うことにより使用パラメータセット４０を生成する。このような動作によれば、異なる色域を有する領域の境界においてスムーズに色域を変化させることができる。
【００３５】
図５に示す実施形態では、パラメータセット出力回路部３２が、ディミング回路部３６１、３６２を備えていない。この実施形態では、補間回路３８が、選択パラメータセット４１１、４１２を受け取り、選択パラメータセット４１１、４１２に対して対象画素の座標（Ｘ，Ｙ）と色域設定データ４とに応じて、補間処理を行うことにより、使用パラメータセット４０を生成する。図５に示す色域調整回路部１５の構成は、ディミング処理を行わないが、異なる色域を有する領域の境界においてスムーズに色域を変化させることができる。
【００３６】
図６に示す実施形態では、パラメータセット出力回路部３２の補間回路３８に、色域設定データ４３が、表示ドライバ２の内部に設けられるレジスタ１４から供給される。色域設定データ４３は、表示パネル１に表示される画像内の領域を規定し、更に、当該領域の色域を指定する。他は、図５に示す実施形態と同様に構成される。一実施形態では、図６に示す構成が、表示パネル１に表示される画像に規定された領域の色域が固定である場合に採用される。
【００３７】
一実施形態では、図６に示す構成の色域調整回路部１５が、図７に示す構成の表示パネル１を駆動する表示ドライバ２に適用される。図７に示す実施形態では、折り曲げることができる表示パネル１に、平面領域５１、５２と折り曲げ領域５３とが規定される。表示パネル１は、折り曲げ領域５３において折り曲げ可能であるように構成される。ある種のＯＬＥＤ表示パネルは折り曲げることができ、一実施形態では、このようなＯＬＥＤ表示パネルが表示パネル１として用いられる。一実施形態では、表示パネル１が折り曲げ可能である位置、即ち、折り曲げ領域５３の位置が固定である。
【００３８】
表示パネル１の特性によっては、折り曲げ領域５３の色合いが平面領域５１、５２の色合いと異なることが生じ得る。このような場合、一実施形態では、平面領域５１、５２と折り曲げ領域５３とで異なる色域調整処理が色域調整回路部１５において行われ、これにより、色合いの相違が低減される。
【００３９】
一実施形態では、更に、平面領域５１と折り曲げ領域５３との間に遷移領域５４が規定され、折り曲げ領域５３と平面領域５２の間に遷移領域５５が規定される。遷移領域５４、５５は、色域が徐々に変化していく領域である。このような実施形態では、色域設定データ４３は、平面領域５１、５２、折り曲げ領域５３及び遷移領域５４、５５を規定し、更に、平面領域５１、５２における色域及び折り曲げ領域５３における色域を指定する。
【００４０】
一実施形態では、制御回路部３４は、色域設定データ４３に応じて、折り曲げ領域５３について指定された色域に対応するパラメータセットを選択するように選択信号ＣＥ＿ＳＥＬ１を生成し、平面領域５１、５２について指定された色域に対応するパラメータセットを選択するように選択信号ＣＥ＿ＳＥＬ２を生成する。セレクタ回路部３１は、それぞれ選択信号ＣＥ＿ＳＥＬ１、ＣＥ＿ＳＥＬ２に応じて選択パラメータセット４１１、４１２をパラメータセットＡ、Ｂ、Ｃ、ＤＥＦのうちから選択する。
【００４１】
一実施形態では、補間回路３８は、選択パラメータセット４１１、４１２に対して対象画素の座標（Ｘ，Ｙ）と色域設定データ４３とに応じて補間処理を行って使用パラメータセット４０を生成する。一実施形態では、補間回路３８は、対象画素が折り曲げ領域５３にある場合、選択パラメータセット４１１をそのまま使用パラメータセット４０として出力し、対象画素が平面領域５１、５２にある場合、選択パラメータセット４１２をそのまま使用パラメータセット４０として出力する。一実施形態では、補間回路３８は、対象画素が遷移領域５４、５５にある場合、選択パラメータセット４１１、４１２に対して対象画素の座標（Ｘ，Ｙ）に応じて補間処理を行って使用パラメータセット４０を生成する。
【００４２】
このような処理によれば、折り曲げ領域５３の色合いと平面領域５１、５２の色合いとの相違の問題を軽減することができる。遷移領域５４、５５においては色域が徐々に変化するため、平面領域５１、５２に表示される画像と折り曲げ領域５３に表示される画像とが滑らかに結合される。
【００４３】
以上には、本開示の様々な実施形態が具体的に記載されているが、本開示に記載された技術は、様々な変更と共に実施され得ることは、当業者には理解されよう。
【符号の説明】
【００４４】
１００    ：表示装置
２００    ：ホスト
１        ：表示パネル
２        ：表示ドライバ
３        ：画像データ
４        ：色域設定データ
５        ：処理後画像データ
６        ：領域
７        ：背景領域
１１      ：インターフェース
１２      ：画像処理回路部
１３      ：ソース線駆動回路部
１４      ：レジスタ
１５      ：色域調整回路部
２１      ：記憶装置
２１ａ    ：画像処理ソフトウェア
２２      ：プロセッサ
２３      ：インターフェース
３１      ：セレクタ回路部
３２      ：パラメータセット出力回路部
３３      ：演算回路部
３４      ：制御回路部
３５１、３５２：セレクタ
３６１、３６２：ディミング回路部
３７      ：セレクタ
３８      ：補間回路
４０      ：使用パラメータセット
４１１、４１２：選択パラメータセット
４２１、４２２：ディミング処理後パラメータセット
４３      ：色域設定データ
５１、５２：平面領域
５３      ：折り曲げ領域
５４、５５：遷移領域
【図１】
2020095187.tif 000003
【図２】
2020095187.tif 000004
【図３】
2020095187.tif 000005
【図４】
2020095187.tif 000006
【図５】
2020095187.tif 000007
【図６】
2020095187.tif 000008
【図７】
2020095187.tif 000009